(57)【要約】【課題】様々な形態、形状の鍵に対応でき、安全かつ容易に鍵の保管、集中管理をすることのできる鍵管理装置を提供すること、及び鍵を本来挿入すべき位置とは違う、誤った位置に挿入してしまう恐れのない鍵管理装置を提供すること。【解決手段】装置本体と、該装置本体に設けられた複数の挿入部と、鍵を収納するための収納部が形成され、前記挿入部に挿入可能な箱型形状とした複数のボックス部と、前記各挿入部に設けられ、挿入したボックス部の施錠および解錠を行う施解錠手段と、前記施解錠手段の施解錠を制御する施解錠制御機構とを備えるようにした。【選択図】  図１
2010265604.tif 000002
【特許請求の範囲】
【請求項１】
装置本体と、
該装置本体に設けられた複数の挿入部と、
鍵を収納するための収納部が形成され、前記挿入部に挿入可能な箱型形状とした複数のボックス部と、
前記各挿入部に設けられ、挿入したボックス部の施錠および解錠を行う施解錠手段と、
前記施解錠手段の施解錠を制御する施解錠制御機構とを備えたことを特徴とする鍵管理装置。
【請求項２】
各ボックス部の挿入先端部には、該挿入先端部に着脱可能な識別タグを備えるとともに、各識別タグは、予め割り当てられた挿入部にのみ挿入して施錠することが可能となされていることを特徴とする請求項1記載の鍵管理装置。
【請求項３】
識別タグは、前記施解錠手段の施錠を可能にする施錠可能手段を備えたことを特徴とする請求項１又は２記載の鍵管理装置。
【請求項４】
施解錠管理機構は、指静脈認証装置による個人認証手段を備え、該個人認証手段による認証結果に基づいて施解錠手段の動作を制御するようにしたことを特徴とする請求項１乃至３のいずれかに記載の鍵管理装置。
【発明の詳細な説明】
【技術分野】
【０００１】
本発明は、ビルやマンションなどにおいて、多数の鍵を1箇所に保管し、集中管理する鍵管理装置に関するものである。
【背景技術】
【０００２】
近年、商業ビル（テナントビル）やマンションなどの高層化、大型化が進むにつれ、人件費を削減するとともに、セキュリティを強化して信頼性を向上させるべく、これら商業ビル等の管理をコンピュータ化した様々な無人管理システムが導入されている。
【０００３】
このような無人管理システムの一つとして、例えば商業ビルやマンションの各部屋の出入り口のドアを開閉する鍵を所定の場所に設置されたキーボックスに保管して集中管理する鍵管理装置が採用されている。このような装置の採用により、ビルの利用者やマンションの住人の入退室状況を正確に把握できるし、また、外出時に鍵を形態する必要がないため、鍵を紛失する恐れがなくなる。
【０００４】
この種の鍵管理装置としては、例えば、鍵に取り付けたキーホルダ（鍵ホルダ）を、鍵管理装置本体に複数設けたキーホルダ保持部（保管孔）に収納して、多数の鍵を管理するようにしたものがある（特許文献１及び２）。
確かに、このような鍵管理装置によれば、多数の鍵を集中的に管理でき、また、ビルの利用者やマンションの住人の入退室状況を正確に把握することもできる。
【先行技術文献】
【特許文献】
【０００５】
【特許文献１】特開平９−２６８８１１号公報
【特許文献２】特開２００２−３０８３６号公報
【発明の概要】
【発明が解決しようとする課題】
【０００６】
しかしながら、上記従来の鍵管理装置では、鍵を保管した状態において、鍵が鍵管理装置本体から露出した状態となっており、鍵が安全に保管されているとはいえない。
【０００７】
また、最近は部屋を開閉するドアの鍵として、ＩＣカードなどを利用したカードキーや、携帯電話を利用したキーなど、様々な形態、形状のものが利用されている。ところが、上記従来の鍵管理装置では、これらの鍵を安全に保管し集中管理するには、不適である。
【０００８】
さらに、上記従来の鍵管理装置では、本来キーホルダを収納すべきであったキーホルダ保持部とは別のキーホルダ保持部に、誤ってキーホルダを挿入してしまう恐れがあった。
それゆえ、より安全に、かつ容易に鍵の保管、集中管理が可能な鍵管理装置が望まれていた。
【０００９】
本発明は、上記のような問題点を克服するためになされたものであって、様々な形態、形状の鍵に対応でき、安全かつ容易に鍵の保管、集中管理をすることのできる鍵管理装置を提供することを目的とする。
また、鍵を本来挿入すべき位置とは違う、誤った位置に挿入してしまう恐れのない鍵管理装置を提供することを目的とする。
【課題を解決するための手段】
【００１０】
上記の課題を解決するため、本発明に係る鍵管理装置は、装置本体と、該装置本体に設けられた複数の挿入部と、鍵を収納するための収納部が形成され、前記挿入部に挿入可能な箱型形状とした複数のボックス部と、前記各挿入部に設けられ、挿入したボックス部の施錠および解錠を行う施解錠手段と、前記施解錠手段の施解錠を制御する施解錠制御機構とを備えたことを特徴とする。
【００１１】
ここで、ボックス部の収納部は、鍵を収納できればどのような形状でもよいが、上方に開口した箱状のものであれば、鍵の出し入れが容易であり、好ましい。また、施解錠手段は、ボックス部を装置本体内に収容して外部から不正に取り出せないように施錠でき、また前記施錠を解除できるものであれば、どのような手段あるいは装置を用いてもよい。
【００１２】
また、施解錠制御機構とは、前記施解錠手段の動作を制御するための機構であり、鍵管理装置に保管されている鍵を持ち出す権限を有する者かどうかを認証・判定するための認証装置（静脈認証装置、指紋認証装置）や、複数設けられている挿入部の各挿入部に付与された番号や利用者のＩＤ番号、パスワードなどを入力する入力装置、当該鍵管理装置の制御プログラムや前記静脈情報、指紋情報、ＩＤ番号、パスワードなどの認証情報等が格納された記憶装置、各種演算及び前記各装置の制御を行う制御部、前記認証手段による認証結果に基づいて鍵施解錠手段に施解錠の指示を伝達する施解錠指示手段などを選択的に含むものである。
【００１３】
本発明に係る鍵管理装置によれば、箱型形状をしたボックス部の収納部に鍵を収納するので、シリンダー錠の鍵のみならず、カードキーや携帯電話を利用した鍵など、様々な形態、形状の鍵に対応でき、安全かつ容易に鍵の保管、集中管理をすることが可能となる。
【００１４】
また、各ボックス部の挿入先端部には、該挿入先端部に着脱可能な識別タグを備えるとともに、各識別タグは、予め割り当てられた挿入部にのみ挿入して施錠することが可能となされているのが好ましい。
このようにして、識別タグに鍵を取り付けておけば、鍵の誤挿入が防止されるので、確実な鍵の保管、集中管理を行うことができる。
【００１５】
また、本発明に係る鍵管理装置においては、識別タグが、前記施解錠手段の施錠を可能にする施錠可能手段を備えるようにするのが好ましい。このようにすれば、ボックス部に対して着脱可能となっている識別タグを鍵と共に持ち出すことにより、鍵の入っていない状態でボックス部を挿入部に挿入して施錠することが出来なくなるので、これにより入退室の状況を把握することが可能となる。
【００１６】
さらに、施解錠管理機構は、指静脈認証装置による個人認証手段を備え、該個人認証手段による認証結果に基づいて施解錠手段の動作を制御するようにするのが好ましい。このようにすれば、より確実な個人認証が可能となり、鍵の保管の安全性、信頼性が確保できる。
【発明の効果】
【００１７】
以上のとおり、本発明に係る鍵管理装置によれば、箱型形状をしたボックス部の収納部に鍵を収納するので、シリンダー錠の鍵のみならず、カードキーや携帯電話を利用した鍵など、様々な形態、形状の鍵に対応でき、安全かつ容易に鍵の保管、集中管理をすることが可能となる。また、各ボックス部の挿入先端部には、該挿入先端部に着脱可能な識別タグを備えるとともに、各識別タグは、予め割り当てられた挿入部にのみ挿入して施錠することが可能とするによって、識別タグに鍵を取り付けておけば、鍵の誤挿入が防止されるので、確実な鍵の保管、集中管理を行うことができる。
【００１８】
さらに、ボックス部に対して着脱可能となっている識別タグを鍵と共に持ち出すことにより、鍵の入っていない状態でボックス部を挿入部に挿入することができず、これにより各部屋の入退室の状況を容易に把握することが可能となる。
【図面の簡単な説明】
【００１９】
【図１】本発明に係る鍵管理装置の一実施形態を示す斜視図である。
【図２】本発明におけるボックス部及び識別タグの一実施形態を示すものであり、（ア）は、ボックス部、及び識別タグを取り付けた鍵を示す図であり、（イ）は識別タグをボックス部の背面に取り付けると共に鍵をボックス部に収容した状態を示す説明図である。
【図３】本発明におけるボックス部の一実施形態を示す（ア）は側断面図、（イ）は平面図、（ウ）は底面図、（エ）は背面図である。
【図４】本発明における識別タグの一実施形態を示す（ア）は正面図、（イ）は背面図、（ウ）は側断面図である。
【図５】本発明における挿入部の一実施形態を示す側断面図である。
【図６】本発明に係る鍵管理装置の一実施形態におけるボックス部、挿入部、及び識別タグの側断面図（ボックス部を挿入部に挿入中の状態）である。
【図７】図６の実施形態におけるボックス部、挿入部、及び識別タグの側断面図（ボックス部を挿入部に挿入して施錠した状態）である。
【図８】図６の実施形態における受け具の（ア）は側面図、（イ）は正面図である。
【図９】図６の実施形態においてボックス部を挿入部に挿入する途中、識別タグの下端傾斜面と係止レバーに形成された傾斜面とが摺動している状態を示す側断面図である。
【図１０】図６の実施形態において、ボックス部に鍵を収納せず、又識別タグを取り付けずに挿入部へ挿入した状態（ボックス部の挿入先端部の下端が施解錠手段の爪鉤部に当接して施錠が不可能な状態）を示す側断面図である。
【図１１】本発明に係る鍵管理装置の一実施形態における装置構成を示す図である。
【発明を実施するための形態】
【００２０】
以下、本発明を実施するための形態を、図面に基づいて詳細に説明する。
【００２１】
図１は、本発明に係る鍵管理装置１の一実施形態を示す図であり、装置本体２の前面に設けた片開きの扉２１を開けた状態を示したものである。扉２１を開けた装置本体２前面２３には縦に５段、横に１０列で計５０の挿入部２２が形成され、各挿入部２２には、鍵を収容したボックス部３が挿入され、施錠された状態となっている。
【００２２】
尚、図１においては、一番右下の挿入部２２ａからは、ボックス部３ａが取り出された状態となっている。当該ボックス部材３ａは、図２に示すように、識別タグ４ａがボックス部材３ａの背面に取り付けられ、鍵Ｋがボックス部材３ａの収納部３１ａに収納された状態で、図１に示すとおり、矢印Ｘの方向に挿入部２２ａに挿入され、施錠される。
【００２３】
この装置本体２内には、当該鍵管理装置１の鍵管理および施解錠を制御するための施解錠制御手段５が備えられており、これによって、多数の鍵が１箇所で集中的に保管・管理される。この実施形態においては、装置本体２の前面の右寄り設けられている入力キー５２、および個人認証装置５３に利用者が必要な情報を入力することによって、施解錠制御手段５が利用者の認証を行い、当該利用者の鍵取り出し権限の有無を判断して、権限ありと判断されれば解錠が行われるようになされている。
【００２４】
液晶表示部５１は、鍵管理装置１の操作の案内や、利用者へ伝達すべき情報など、様々な情報を必要に応じて表示するものである。入力キー５２は、利用者が部屋番号や、各部屋番号（挿入部の番号）或いは利用者個人に予め割り当てられたＩＤ番号、暗証番号などを必要に応じて入力できるようにするためのものである。この実施形態においては、情報表示部５１と入力キー５２をそれぞれ独立のものとして設けているが、例えば液晶表示部５１にタッチパネル方式を採用して、入力キー５２を兼ねるものとすることもできる。また、個人認証装置５３は、この実施形態においては、誤認証が少なくセキュリティにおける信頼性が高い指静脈認証装置を使用している。
【００２５】
図２及び図３は、この実施形態におけるボックス部材３を示すものであり、ボックス部３は、略直方体を上方に開口して収納部３１を形成した箱型形状とされている。また、ボックス部３の背面には識別タグ４を上方から下方へ嵌挿可能な嵌挿溝３２が形成されている。さらに、ボックス部３の底面には、図５および６に示す係止レバー６２の爪鉤部６２２が係合、係止可能なラッチ孔３３が形成されている。尚、このボックス部３における収納部３１の大きさは自由に設定できるが、この実施形態においては、シリンダー錠の鍵のみならず、ＩＣカードなどのカードキーや、携帯電話などを収容できる大きさとしている。
【００２６】
図４は、この実施形態における識別タグ４を示すものであり、（ア）は正面図、（イ）は背面図、（ウ）は側断面図である。識別タグ４は、樹脂材料で成形された板状部材からなり、正面側には、複数の符号孔４１が形成されている。また、識別タグ４の下端部は、背面側から正面側にかけて斜め上方に切り欠かれ下端傾斜面４２が形成されている。さらに、当該識別タグ４の上端部近傍には、紐やチェーンなどを介して鍵Ｋを取り付ける（図２参照）べく、取付部４３が形成されている。
【００２７】
次に、図５乃至図７に基づき、ボックス部３を挿入部２２に挿入して施錠する様子を説明する。図５は、ボックス部３が挿入される前の挿入部２２を示す図であり、図６は、ボックス部３に鍵Ｋを収納し、識別タグ４を取り付けて、挿入部２２に挿入する途中の状態を示す図である。また、図７は、ボックス部を完全に挿入し施錠した状態を示す図である（尚、鍵Ｋは図示せず）。
【００２８】
挿入部２２は、装置本体２の前面方向に開口してボックス部３の外形とほぼ同一の内部形状を備えており、ボックス部３を挿入部２２に完全に挿入し施錠した状態（図７）では、挿入部２２の開口部とボックス部３との間にほとんど隙間が生じないような構成となされている。したがって、施錠状態において、外部からボックス部３に収容されている鍵などの物品を取り出すことは不可能である。
【００２９】
各挿入部２２には挿入したボックス部３の施錠及び解錠を行う施解錠手段６が設けられており、この実施形態においては、施解錠手段６はソレノイド６１および係止レバー６２からなる。
【００３０】
施錠時は、施解錠手段６は図７の状態にあり、施解錠制御機構５（後述）の解錠指示により、ソレノイド６１のロッド６１１が上方（図７中の矢印Ｙ）に動作する。
【００３１】
また、係止レバー６２は、棒状部材６２１の途中において支軸６３を中心に回動可能に軸支されると共に、一端部は軸６４によってソレノイド６１のロッド６１１の先端部付近に係止され、他端には棒状部材６２１の先端から棒状部材６２１に略直交して上方に延びる爪鉤部６２２が形成されている。爪鉤部６２２の先端部には、装置本体２の背面側から前面方向に向かって下方に傾斜する傾斜面６２３が形成されている。また爪鉤部６２２は、挿入部２２の底面に形成された挿通孔２２１に挿通され、ボックス部３が取り出された状態の時および施錠時には、図５及び６に示すように、先端部が挿入部２２内に突出した状態となっている（尚、このとき、爪鉤部６２２の前面側端部６２４も挿入部２２内に突出している）。また、施錠時において、爪鉤部６２２の先端部は、ボックス部３の底面に形成したラッチ孔３３に係止されており、これにより施錠がなされている。
【００３２】
そして、上述のとおり、施解錠制御機構５の解錠指示により、ソレノイド６１のロッド６１１が上方（図７中の矢印Ｙ）に動作すると、係止レバー６２が支軸６３を中心に回動して、爪鉤部６２２が下方に動作する（図７中の矢印Ｚ）。これによって、爪鉤部６２２のラッチ孔３１に対する係止が解除され、解錠されることとなる。
【００３３】
また、挿入部２２内には、図８に示すような受け具７が配置されている。受け具７は、ボックス部３が挿入されたときに識別タグ４と対向配置される板状のタグ受部７１と、タグ受部７１の背面の略中央を基端として挿入部２２の奥（背面）方向に延びる受軸７２とからなる。受軸７２の先端は、挿入部の奥壁に形成された孔２２２に挿通可能となされており、また受軸７２の周囲にはバネ体８が配置されており、挿入部２２の奥壁とタグ受部７１の背面とを押圧して、両者の間の距離を保っている。
【００３４】
さらに、タグ受部７１の識別タグ４と対向する面には、識別タグ４に形成された符号孔４１の内側形状と略同一の外形を有し符号孔４１に挿入可能な突起部７３が形成されている。
【００３５】
これにより、図６の状態からボックス部３を挿入部２２の奥行方向へ押し込むと、タグ受部７１に形成された突起部７３が対応する符号孔４１に挿入され、タグ受部７１と識別タグ４の対抗する面同士が当接する。このとき、識別タグ４の下端には下端傾斜面４２が形成されており、この下端傾斜面４２が施錠を可能とする施錠可能手段となされている。すなわち、この下端傾斜面４２と係止レバー６２の爪鉤部６２２の先端部に形成された傾斜面６２３が互いに摺動するので、爪鉤部６２２は下方に押し下げられ、これによって、ボックス部３を更に押し込むことが可能となっている（図９参照）。
【００３６】
さらにボックス部３を押し込むと、受け具７がバネ体８の付勢力に逆らって弾性的に後退する。そのまま係止レバー６２の爪鉤部６２２がボックス部材３のラッチ孔３３に係合、係止するまでボックス部３を押し込んで、これにより施錠状態となる（図７）。
【００３７】
尚、施錠時においては、装置本体２の前面板とボックス部３の前面部とが面一となるようになされているので、権限なく不正にボックス部材が引き抜かれたり、鍵が盗まれたりすることがない。また、このとき係止レバー６２の爪鉤部６２２がボックス部材３のラッチ孔３３に係合するよう、各部材の位置、寸法が設計されている。さらに、装置本体２の前面板とボックス部３の前面部とが面一となる状態のときに、バネ体８の長さは最小となり、それ以上はボックス部３を押し込むことができないよう、各部材の位置、寸法が設計されている。
【００３８】
また、挿入部２２の奥壁近傍には、ボックス部３が挿入され施錠された状態になったことを検知するマイクロスイッチ５５が配置され、検知された情報は施解錠制御機構へ伝達されるようになされている。
【００３９】
さらに、タグ受部７１に形成された突起部７３の配置は、各挿入部２２毎にそれぞれ異なっている（各挿入部に対応する識別タグ４の符号孔４１も同様である）。それゆえ、ボックス部３を誤った挿入部２２に挿入すると突起部７３と符号孔４１が符号せず、識別タグ４とタグ受部７１の対向する面が当接できない。そのため、装置本体２の前面板とボックス部３の前面部とが面一となる状態、すなわち、係止レバー６２の爪鉤部６２２がボックス部材３のラッチ孔３３に係合する位置までボックス部材３を押し込むことができず、施錠をすることが出来ないので、これにより、鍵Ｋの誤挿入が防止される。
【００４０】
尚、タグ受部７１に形成された突起部７３およびそれに対応する識別タグに形成された符号孔４１は、上記のように各挿入部毎にその配置を変えるようにしてもよいが、それ以外にも例えば、突起部７３及びそれに対応する符号孔４１の数を替えたり、形や大きさを変えたりするようにしてもよく、あるいはそれらの複合によるものであってもよい。
【００４１】
ところで、前述のとおり、施解錠制御機構５の解錠指示により、ソレノイド６１のロッド６１１が上方（図７中の矢印Ｙ）に動作すると、係止レバー６２が支軸６３を中心に回動して、爪鉤部６２２が下方に動作し、爪鉤部６２２のラッチ孔３１に対する係止が解除されて解錠されるが、解錠されると、バネ体８の弾性力により受け具７を介してボックス部３が前面方向へ押し出される。これによって、ボックス部３を挿入部２２から取り出し、ボックス部３に収容された鍵Ｋおよび識別タグ４を取り出すことができる。
【００４２】
尚、各挿入部２２の下部には、ストッパーバネ８１が配置されている。ストッパーバネ８１は、板バネの一端部が山形に折り曲げられて形成され、該山形の頭頂部８１１が挿入部２２の底面に形成された孔部２２３に挿通され、挿入部２２内に突出するように配置されており、他端部は挿入部２２の下部に固定されている。施錠時には、図６に示すように山形の頭頂部８１１が下方に押し下げられているが、ボックス部３が解錠され、バネ体８の弾性力により受け具７を介してボックス部３が前面方向へ押し出されるときに、前記山形の頭頂部８１１が、ボックス部３の底面に形成されたラッチ孔３３に係合するようになされている（図６）。これにより、解錠時にボックス部３が挿入部２２から飛び出し、脱落するのを防止している。
【００４３】
一方、鍵Ｋおよび識別タグ４をボックス部材３から取り出した状態でボックス部３を挿入部２２に挿入しようとすると、図１０に示すように、ボックス部３の背面下端部が係止レバー６２の爪鉤部６２２（の前面側端部６２４）に突き当たるようになされている。それゆえ、それ以上ボックス部３を押し込むことができず、施錠状態とすることができない。よって、当該挿入部２２に該当する部屋の鍵Ｋが持ち出されていることが容易に確認できる。
【００４４】
ところで、予め割り当てられた挿入部２２にのみ挿入して施錠することが可能とする識別タグ４は、上記の実施形態に限定されるものではない。例えば、上記の識別タグ４が備える符号孔４１に替えて電子タグを備えるようにし、また上記受け具７の突起部７３に替えて電子タグに記憶されている情報を読み取るためのリーダを配置し、ボックス部３（および識別タグ４）が、正しい挿入部２２に挿入されているか否かを照合させるようにしてもよい。
【００４５】
次に、この実施形態における施解錠制御機構５の装置構成の一例を図１１示して説明する。図１１において、５が施解錠制御機構であり、液晶表示部５１、入力キー５２、個人認証装置５３、記憶手段５４、マイクロスイッチ５５、およびこれらの各装置を制御・管理する制御部５６を備えている。記憶手段５４には、各部屋（各挿入部２２）に割り当てられたＩＤ、或いはアドレス等の情報と、それに対応する識別タグ４に割り当てられたＩＤやパスワード等の情報、及び各部屋の利用者に割り当てられたＩＤやパスワード、各利用者の指静脈情報データなどとが関連付けて格納され、また当該鍵管理装置１の制御や管理に必要なプログラムなどが格納されている。
【００４６】
施解錠制御機構５は、利用者が入力キー５２および個人認証装置５３に、部屋番号（挿入部２２に割り当てられた番号）や当該利用者に割り当てられたＩＤ等が入力されると共に、個人認証装置５３によって利用者の個人情報が取得されると、これらの入力・取得された情報と、記憶手段５４に記憶された情報とを照合する。この照合により、当該利用者の本人確認ならびに当該部屋番号の鍵を持ち出す正当な権限を有するものであることの確認（認証）がなされると、制御部５６から施解錠手段６へ当該挿入部２２解錠の指示が伝達される。これによって、施解錠手段６が動作し、所定の挿入部２２が解錠され、当該挿入部２２に挿入されているボックス部３が前面に押し出されて当該ボックス部３に収容されている鍵Ｋを識別タグ４と共に取り出すことが可能となる。
【００４７】
また、解錠されている挿入部２２に対応する識別タグ４を取り付けたボックス部３が正しく挿入され施錠されると、マイクロスイッチ５５がそれを検知し、施錠の情報が施解錠制御機構５へと伝達され、記憶される。
【００４８】
尚、本発明に係る施解錠制御機構５の装置構成は、上記の構成に限られるものではなく、例えば上記解錠に必要な認証情報、及び認証の手順（フロー）は必要に応じて任意に変更でき、それに応じて必要な装置を構成として含めることもできる。
【符号の説明】
【００４９】
１    鍵管理装置
２    装置本体
２２  挿入部
３    ボックス部
４    識別タグ
４１  符号孔
４２  下端傾斜面
５    施解錠制御機構
６    施解錠手段
６１  ソレノイド
６２  係止レバー
７    受け具
７３  突起部
８    バネ
鍵    Ｋ
【図１】
2010265604.tif 000003
【図２】
2010265604.tif 000004
【図３】
2010265604.tif 000005
【図４】
2010265604.tif 000006
【図５】
2010265604.tif 000007
【図６】
2010265604.tif 000008
【図７】
2010265604.tif 000009
【図８】
2010265604.tif 000010
【図９】
2010265604.tif 000011
【図１０】
2010265604.tif 000012
【図１１】
2010265604.tif 000013